(57)【要約】【課題】手間をかけずに入浴中の冷風感を防止することができることを目的とする。【解決手段】人を検知する人検知手段を設け、前記人検知手段によって、前記人が入浴したと検知した場合、換気手段の運転を自動的に停止するという構成にしたことにより、人を検知する人検知手段を設け、前記人検知手段によって、前記人が入浴したと検知した場合、前記換気手段の運転を自動的に停止するので、手間をかけずに入浴中の冷風感を防止することができる浴室暖房乾燥機を得られる。【選択図】図２
2013057474.tif 000002
【特許請求の範囲】
【請求項１】
浴室内の空気を浴室暖房乾燥機に取り入れる吸込み口と、前記空気を加熱する空気加熱手段と、前記空気を循環させる循環送風手段と、前記循環送風手段により前記浴室内に前記空気を送風する吹出し口と、前記空気が前記循環送風手段より前記吹出し口に到達するまでに通過する通風路と、前記吹出し口から送風された風向を変化させる風向制御手段と、前記浴室を換気する換気手段と、前記浴室暖房乾燥機を操作し運転状態を表示する操作手段と、運転の制御を行なう運転制御手段と、を備え、人を検知する人検知手段を設け、前記人検知手段によって、前記人が入浴したと検知した場合、前記換気手段の運転を自動的に停止することを特徴とする浴室暖房乾燥機。
【請求項２】
人検知手段によって、人が退出したと検知した場合、前記換気手段の運転を自動的に再開することを特長とする請求項１に記載の浴室暖房乾燥機。
【請求項３】
人検知手段を、赤外線センサとしたことを特徴とする請求項１または２に記載の浴室暖房乾燥機。
【請求項４】
人検知手段を、照度センサとしたことを特徴とする請求項１に記載の浴室暖房乾燥機。
【請求項５】
人が退出したと検知した場合、一定時間、運転停止を継続することを特徴とする請求項１から４のいずれかに記載の浴室暖房乾燥機。
【発明の詳細な説明】
【技術分野】
【０００１】
本発明は、手間をかけずに入浴中の冷風感を防止することができる浴室暖房乾燥機に関する。
【背景技術】
【０００２】
従来、この種の浴室暖房乾燥機として、浴室内の２４時間換気を行うタイプのものでは、入浴中に風が体に当たることによる冷風感を感じることがあり、また、停止するためにスイッチでの操作が必要である（例えば、特許文献１参照）。
【０００３】
以下、その浴室暖房乾燥機について図６を参照しながら説明する。
【０００４】
浴室１０１の天井裏には浴室暖房乾燥機１０２が、脱衣室１０３には浴室暖房乾燥機の操作を行う操作部１０４が設置されている。浴室暖房乾燥機１０２の内部には浴室１０１内の空気を外部に排出する換気手段１０５を備えており、浴室１０１を２４時間換気を行っているというものである。
【先行技術文献】
【特許文献】
【０００５】
【特許文献１】特開２００６−３２２６９３号公報
【発明の概要】
【発明が解決しようとする課題】
【０００６】
このような従来の浴室暖房乾燥機においては、浴室内の２４時間換気を行う浴室暖房乾燥機では、入浴中に冷風感を感じることがある、という課題を有していた。
【０００７】
そこで本発明は、上記従来の課題を解決するものであり、手間をかけずに入浴中の冷風感を防止することができる浴室暖房乾燥機を提供することを目的とする。
【課題を解決するための手段】
【０００８】
そして、この目的を達成するために、本発明は、人を検知する人検知手段を設け、前記人検知手段によって、前記人が入浴したと検知した場合、前記換気手段の運転を自動的に停止することとしたものであり、これにより所期の目的を達成するものである。
【発明の効果】
【０００９】
本発明によれば、人を検知する人検知手段を設け、前記人検知手段によって、前記人が入浴したと検知した場合、前記換気手段の運転を自動的に停止するという構成にしたことにより、人を検知する人検知手段を設け、前記人検知手段によって、前記人が入浴したと検知した場合、前記換気手段の運転を自動的に停止することとなるので、手間をかけずに入浴中の冷風感を防止することができる、という効果を得ることができる。
【図面の簡単な説明】
【００１０】
【図１】本発明の実施の形態１の浴室暖房乾燥機を示す斜視図
【図２】同浴室暖房乾燥機の側構成図
【図３】本発明の実施の形態２の浴室暖房乾燥機を示す側構成図
【図４】本発明の実施の形態３の浴室暖房乾燥機を示す側構成図
【図５】同浴室暖房乾燥機制御手段のブロック図
【図６】従来の浴室暖房乾燥機の暖房運転時の状態を示す側構成図
【発明を実施するための形態】
【００１１】
本発明の請求項１記載の浴室暖房乾燥機は、浴室内の空気を浴室暖房乾燥機に取り入れる吸込み口と、前記空気を加熱する空気加熱手段と、前記空気を循環させる循環送風手段と、前記循環送風手段により前記浴室内に前記空気を送風する吹出し口と、前記空気が前記循環送風手段より前記吹出し口に到達するまでに通過する通風路と、前記吹出し口から送風された風向を変化させる風向制御手段と、前記浴室を換気する換気手段と、前記浴室暖房乾燥機を操作し運転状態を表示する操作手段と、運転の制御を行なう運転制御手段と、を備え、人を検知する人検知手段を設け、前記人検知手段によって、前記人が入浴したと検知した場合、前記換気手段の運転を自動的に停止すること、という構成を有する。これにより、人を検知する人検知手段を設け、前記人検知手段によって、前記人が入浴したと検知した場合、前記換気手段の運転を自動的に停止することとなるので、手間をかけずに入浴中の冷風感を防止することができる、という効果を奏する。
【００１２】
また、人検知手段によって、人が退出したと検知した場合、前記換気手段の運転を自動的に再開すること、という構成にしてもよい。これにより、前記人検知手段によって、前記人が退出したと検知した場合、前記換気手段の運転を自動的に再開するとなるので、手間をかけずに浴室内の換気運転を再開できる、という効果を奏する。
【００１３】
また、人検知手段を、赤外線センサとしたこと、という構成にしてもよい。これにより、人の体温により前記人の入退室を検知でき、前記換気手段の運転を自動で停止・再開でき、また、浴室内の温度に温度が高い場合は、風量を自動で制御できるとなるので、浴室内の温度を一定に保つことができ、入浴後の換気運転を効率的に行うことができるとともに、夏季などの気温が高いときは換気運転の停止を行わない制御も可能とすることができる、という効果を奏する。
【００１４】
また、人検知手段を、照度センサとしたこと、という構成にしてもよい。これにより、浴室の照明を点灯した際に、同時に人の入浴と検知し、前記換気手段の運転を自動的に停止するとともに、一定時間同じ照度の場合は、人が居ないと判断して換気運転を再開する制御を行うことができることとなるので、浴室内の温度に関わらず、人の入浴を検知できるとともに、日光の光などによって、誤検知した場合でも、一定時間で換気運転を再開できる、という効果を奏する。
【００１５】
また、人が退出したと検知した場合、一定時間、運転停止を継続すること、という構成にしてもよい。これにより、運転制御手段によって一定時間、換気手段の停止状態を維持する制御を行うこととなるので、複数人が断続的に入浴する場合でも、浴室および湯水の温度低下を防止できる、という効果を奏する。
【００１６】
以下、本発明の実施の形態について、図面を参照しながら説明する。
【００１７】
（実施の形態１）
図１に示すように、浴室１は浴槽２と、浴槽２と壁などで分断されていない空間である洗い場空間を備え、天井面３には点検口４および開口部５があり、図２に示すように浴室１の天井裏空間６に浴室暖房乾燥機を形成する本体７を設け、開口部５を介して浴室１に連通している。
【００１８】
なお、点検口４は、洗い場空間の直上、開口部５は浴槽２の直上に位置している。
【００１９】
また、図２に示すように、浴室暖房乾燥機の本体７は、浴室１の天井面３に面した位置にパネル８が設置され、パネル８は吸込口９と吹出口１０を備えており、浴室暖房乾燥機の本体７は、空気加熱手段として浴室１の空気を前記吸込口９から取り入れた空気に温水を用いて加熱する熱交換器１１を前記吸込口９の近傍に備え、熱交換器１１に対して下流側に空気を循環させる循環送風手段としての循環ファンモータ１２とを備えており、循環ファンモータ１２が駆動することにより、吸込口９から取り入れた空気は熱交換器１１により加熱され温風（例えば、６０度の温度）となる。前記温風は、前記循環ファンモータ１２により前記浴室１に空気を送風する吹出口１０までを繋ぐ、通風路１３を通過し吹出口１０に到達する。
【００２０】
さらに、前記温風は、前記吹出口１０から送風された風向を変化させる風向制御手段としての風向板１４と、前記風向板１４を稼動させる手段としてのモータ好ましくはステッピングモータ（図示せず）により、浴室１の任意の方向へ送風することができる。
【００２１】
なお、循環ファンモータ１２として、ファンは例えばシロッコファンを用い、モータはＤＣモータを用いている。
【００２２】
そして、前記浴室暖房乾燥機は、本体７の点検口４側の外部に浴室１の空気を屋外に排出する換気手段としての換気ファンモータ１５を備えた換気部１６をねじ止めさせて設け、換気部１６と本体７を連通し連通する開口形状（開口面積に相当）を調節するダンパ１７を備え、浴室１の換気を行うことができる。
【００２３】
なお、換気ファンモータ１５として、ファンは例えばシロッコファンを用い、モータはＤＣモータを用いている。
【００２４】
なお、ダンパなし、本体７内部に換気手段を備えた浴室暖房乾燥機、または外部換気装置と浴室暖房乾燥機をダクト配管を介して連通する構成でも良い。
【００２５】
また、前記浴室暖房乾燥機は、運転の制御を行なう運転制御手段としての電装基板１８と、前記浴室暖房乾燥機を脱衣室１９から操作し運転状態を表示する操作手段としての脱衣室リモコン２０とを備え前記脱衣室リモコン２０からの操作により、浴室暖房乾燥機の運転を行うことができる。
【００２６】
なお、浴室暖房乾燥機を浴室１内から操作し運転状態を表示する操作手段としての浴室リモコン２１を備えた浴室暖房乾燥機でも良い。
【００２７】
また、本体７は、人を検知する人検知手段としての赤外線センサ２３を備えている。
【００２８】
また、電装基板１８内には赤外線センサ２３にて検知した温度を記録する例えばＩＣメモリのような記録装置２４を備えている。
【００２９】
上記構成において、通常、浴室１内は換気部１６により空気を屋外に常に排出する２４時間換気が行われている。人が入浴した場合、人の体表面温度と浴室１壁面温度との温度差を赤外線センサ２３にて検知し、人が入浴していると判定する。
【００３０】
人が入浴したと判定すると、電装基板１８により、換気部１６に停止の指令が出され、換気ファンモータ１５が停止し、浴室１内の２４時間換気が停止するため、手間をかけずに入浴中の風が体に当たることによる冷風感を防止することができる。
【００３１】
また、入浴後、浴室１より退出すると、人の体表面温度と浴室１壁面温度との温度差がなくなるため、人が退出したと判定し、電装基板１８により、換気部１６に運転再開の指令が出され、換気ファンモータ１５が再び動き出し、２４時間換気が再開されることで、手間をかけずに浴室内の換気運転を再開させることができる。
【００３２】
また、２４時間換気運転中に赤外線センサによって検知された温度は、記録装置２４に記録されており、記録結果により、夏季など気温が高い（例えば、３０℃程度）季節と判断した場合には、入浴中の冷風感があまり感じられないため、脱衣室リモコン２０または浴室リモコン２１によって、使用者が、入浴中の２４時間換気の自動停止をキャンセルする設定を行うことも可能である。
【００３３】
なお、赤外線センサ２３は、例えば、浴室１内に１個、脱衣室１９内に１個というように、複数設けても良い。入浴後は浴室１内に熱がこもっており、浴室１内に人が居ないと検知し、浴室１内と脱衣室１９内の赤外線センサ２３の温度差が、一定値以上ある場合には、換気ファンモータ１５の回転数を増加させ、浴室１内の温度を脱衣室１９内の温度と同じになるまですばやく下げることが可能となり、入浴後の換気運転を効率的に行うことができる。
【００３４】
なお、実施の形態１において、赤外線センサ２３は本体７に備えたが、浴室リモコン２１内部や浴室の任意の場所に設けても良い。
【００３５】
なお、実施の形態１において、換気ファンモータ１５を停止する代わりに、ダンパ１７を閉じる制御としても良い。
【００３６】
なお、実施の形態１において、浴室暖房乾燥機に浴室１をサウナ空間とすることができる加湿手段を設けても良い。
【００３７】
なお、実施の形態１では空気加熱手段として温水を用いた熱交換器１１を用いたが、熱交換器１１に換えてＰＴＣヒータ、ハロゲンヒータ、シーズヒータ等他の電気式ヒータでもよい。
【００３８】
（実施の形態２）
図３において、図１および図２と同様の構成要素については同一の符号を付し、その詳細な説明は省略する。
【００３９】
図３において、実施の形態１とことなるところは、本体７に人を検知する人検知手段としての照度センサ２５を備えたことである。
【００４０】
上記構成において、浴室１内に人が入浴したと判定する手段として、浴室１の照明２２を用いることができる。人が入浴する場合、浴室照明を点灯させる。したがって、浴室照明が消灯している場合の照度と、浴室照明が点灯している場合の照度を検知し、浴室の照明が点灯している照度を検知した場合、人が入浴していると判定する。
【００４１】
人が入浴したと判定すると、電装基板１８により、換気部１６に停止の指令が出され、換気ファンモータ１５が停止し、浴室１内の２４時間換気が停止するため、手間をかけずに入浴中の冷風感を防止することができる。
【００４２】
また、入浴後、浴室１より退出し、浴室１の照明２２を消灯させると、人が退室したと判定し、電装基板１８により、換気部１６に運転再開の指令が出され、換気ファンモータ１５が再び動き出し、２４時間換気が再開されることで、手間をかけずに浴室内の換気運転を再開させることができる。
【００４３】
なお、実施の形態２において、照度センサ２５は本体７に備えたが、浴室リモコン２１内部や浴室の任意の場所に設けても良い。
【００４４】
なお、照度センサ２５は複数あっても良く、例えば浴室１の照明２２が点灯と消灯しているときの照度差は、昼間と夜間とで異なるが、昼間の照度変化に対応した照度センサ２５と、夜間の照度変化に対応した照度センサ２５の２つを搭載することにより、昼夜関係なく、精度よく照度センサ２５の検知を行えるため、人の検知が精度よくできる。
【００４５】
（実施の形態３）
図４において、図１〜図３と同様の構成要素については同一の符号を付し、その詳細な説明は省略する。
【００４６】
図４において実施の形態１および２とことなるところは、電装基板１８内にタイマー２６を設け、人が浴室１より退出したと検知した場合でも、一定時間、換気ファンモータ１５の運転停止を維持する制御としたことである。
【００４７】
上記構成において、浴室１内より人が退出したと検知すると、タイマー２６が作動する。タイマー２６の設定時間が経過すると、電装基板１８により、換気部１６に運転再開の指令が出され、換気ファンモータ１５が再び動き出し、２４時間換気が再開される。
【００４８】
タイマー２６の設定時間が経過する間に、再び、赤外線センサ２３によって、人が入室したと検知されると、換気ファンモータ１５の運転停止を維持することとなり、複数人が断続的に入浴する場合でも、浴室および湯水の温度低下を防止することができる。
【００４９】
なお、赤外線センサ２３は照度センサ２５とした場合でも、同様の効果を有する。
【産業上の利用可能性】
【００５０】
本発明にかかる浴室暖房乾燥機は、人の検知を行い運転を制御する機能、および、光や温度を検知して運転を制御する機能を有し、空間内の空質などを調整する機器等として有用である。
【符号の説明】
【００５１】
１    浴室
２    浴槽
３    天井面
４    点検口
５    開口部
６    天井裏空間
７    本体
８    パネル
９    吸込口
１０  吹出口
１１  熱交換器
１２  循環ファンモータ
１３  通風路
１４  風向板
１５  換気ファンモータ
１６  換気部
１７  ダンパ
１８  電装基板
１９  脱衣室
２０  脱衣室リモコン
２１  浴室リモコン
２２  照明
２３  赤外線センサ
２４  記録装置
２５  照度センサ
２６  タイマー
【図１】
2013057474.tif 000003
【図２】
2013057474.tif 000004
【図３】
2013057474.tif 000005
【図４】
2013057474.tif 000006
【図５】
2013057474.tif 000007
【図６】
2013057474.tif 000008